(57)【要約】一連の連続したビデオフィールド（ｐｐ、ｐ、ｃ）においてフィルムマテリアルの存在を検出する運動系列パターン検出器（３００，３０１）は、前記連続したフィールドの中の第１フィールドに対してビデオ運動測定値及びフィルム運動測定値を計算し、両方の運動測定値に基づいてフィルムマテリアルの存在を決定するように構成される。前記ビデオ運動測定値は、前記連続したフィールドの中の前記第１フィールドの対応する画素グループに対して複数の運動パターンを定め、前記複数の運動パターンのそれぞれを所定のビデオ運動パターンと比較し、条件により前記ビデオ運動測定値を増加することにより計算される。前記フィルム運動測定値は、前記複数の運動パターンのそれぞれを所定のフィルム運動測定値と比較し、条件により前記フィルム運動測定値を増加することにより計算される。
2006510267.tif 000002
【特許請求の範囲】
【請求項１】
一連の連続したビデオフィールドにおいてフィルムマテリアルの存在を検出する運動系列パターン検出器であって、
前記連続したフィールドの中の第１フィールドに対してビデオ運動測定値及びフィルム運動測定値を計算し、
前記ビデオ運動測定値及び前記フィルム運動測定値に基づいて前記フィルムマテリアルの存在を決定する、
ように構成された処理手段を有する当該運動系列パターン検出器において、
前記ビデオ運動測定値が、
前記連続したフィールドの中の前記第１フィールドの対応する画素グループに対して複数の運動パターンを定め、
前記複数の運動パターンのそれぞれを所定のビデオ運動パターンと比較し、条件により前記ビデオ運動測定値を増加する、
ことにより計算され、
前記フィルム運動測定値が、
前記複数の運動パターンのそれぞれを所定のフィルム運動パターンと比較し、条件により前記フィルム運動測定値を増加する、
ことにより計算される、運動系列パターン検出器。
【請求項２】
前記画素グループがそれぞれ１つの画素を有する、請求項１に記載の運動系列パターン検出器。
【請求項３】
前記処理手段が、
前記連続したフィールドの中の前記第１フィールドの第１画素値と前記連続したフィールドの中の第２フィールドから算出される第２の値との間の第１の差と、
前記連続したフィールドの中の第３フィールドの第３画素値と前記連続したフィールドの中の前記第２フィールドから算出される第４の値との間の第２の差と、
を計算することにより前記複数の運動パターンの中の第１運動パターンを定めるように構成される、請求項１に記載の運動系列パターン検出器。
【請求項４】
前記処理手段が、前記第１の差を第１の所定の運動閾値と比較し、前記第２の差を第２の所定の運動閾値と比較することにより前記複数の運動パターンの中の前記第１運動パターンを定めるように構成される、請求項３に記載の運動系列パターン検出器。
【請求項５】
前記処理手段が、
前記連続したフィールドの中の前記第１フィールドの前記第１画素値と前記連続したフィールドの中の前記第３フィールドの前記第３画素値との間の第３の差を計算し、
前記第１の差と前記第３の差との第１最小値を計算し、前記第１最小値を前記第１の差に割り当て、
前記第２の差と前記第３の差との第２最小値を計算し、前記第２最小値を前記第２の差に割り当てる、
ことにより前記複数の運動パターンの中の前記第１運動パターンを定めるように構成される、請求項４に記載の運動系列パターン検出器。
【請求項６】
前記処理手段は、前記第１の差が前記第１の所定の運動閾値より大きく、かつ前記第２の差が前記第２の所定の運動閾値より大きい場合に、前記ビデオ運動測定値を増加するように構成される、請求項４又は５に記載の運動系列パターン検出器。
【請求項７】
前記処理手段は、前記第１の差のみが前記第１の所定の運動閾値より大きいか、又は前記第２の差のみが前記第２の所定の運動閾値より大きい場合に前記フィルム運動測定値を修正するように構成される、請求項４又は５に記載の運動系列パターン検出器。
【請求項８】
前記画素グループの中の第１画素グループに対応する前記複数の運動パターンの中の前記第１運動パターンと前記所定のフィルム運動パターンとの比較に基づいて前記第１画素グループに対応する位置においてフィルムマテリアルの存在を指示する信号を出力するように構成される、請求項１に記載の運動系列パターン検出器。
【請求項９】
前記連続したフィールドの中の前記第１フィールドの第１画素セットに対して第１コントラスト測定値を計算する手段と、
前記第１コントラスト測定値を所定のコントラスト閾値と比較する手段と、
前記第１コントラスト測定値が前記所定のコントラスト閾値より高い場合に、前記第１画素セットを前記画素グループの中の第１画素グループとして割り当てる手段と、
により前記画素グループの中の第１画素グループを選択するコントラスト測定ユニットを有する、請求項１に記載の運動系列パターン検出器。
【請求項１０】
前記コントラスト測定ユニットが、前記第１画素セット内の画素の第１画素値と、前記連続したフィールドの中の前記第１フィールドの他の画素値との間の第１の差の計算に基づいて第１コントラスト測定値を計算するように構成される、請求項９に記載の運動系列パターン検出器。
【請求項１１】
前記コントラスト測定ユニットが、前記第１画素セット内の画素の前記第１画素値と前記連続したフィールドの中の第２フィールドの他の画素値との間の第２の差の計算に基づいて前記第１コントラスト測定値を計算するように構成される、請求項１０に記載の運動系列パターン検出器。
【請求項１２】
前記連続したフィールドの中の前記第１フィールドに対して計算された前記コントラスト測定値が前記所定のコントラスト閾値を超えた回数に基づいて新しい所定のコントラスト閾値を計算するように構成された、請求項９に記載の運動系列パターン検出器。
【請求項１３】
一連の連続したビデオフィールドに対応する信号を受信する受信手段と、
請求項１に記載の運動系列パターン検出器と、
前記運動系列パターン検出器により制御され、前記一連の連続したビデオフィールドに基づいて出力画像の系列を計算する画像処理ユニットと、
を有する画像処理装置。
【請求項１４】
前記出力画像を表示する表示デバイスを有することを特徴とする、請求項１３に記載の画像処理装置。
【請求項１５】
テレビであることを特徴とする、請求項１４に記載の画像処理装置。
【請求項１６】
前記出力画像を記憶する記憶手段を有することを特徴とする、請求項１３に記載の画像処理装置。
【請求項１７】
ＤＶＤレコーダであることを特徴とする、請求項１６に記載の画像処理装置。
【請求項１８】
一連の連続したビデオフィールドにおいてフィルムマテリアルの存在を検出する方法であって、
前記連続したフィールドの中の第１フィールドに対してビデオ運動測定値及びフィルム運動測定値を計算するステップと、
前記ビデオ運動測定値及び前記フィルム運動測定値に基づいて前記フィルムマテリアルの存在を決定する手段と、
を有する当該方法において、
前記ビデオ運動測定値が、
前記連続したフィールドの中の前記第１フィールドの対応する画素グループに対して複数の運動パターンを定め、
前記複数の運動パターンのそれぞれを所定のビデオ運動パターンと比較し、条件により前記ビデオ運動測定値を増加する、
ことにより計算され、
前記フィルム運動測定値が、
前記複数の運動パターンのそれぞれを所定のフィルム運動測定値と比較し、条件により前記フィルム運動測定値を増加する、
ことにより計算される、方法。
【請求項１９】
コンピュータ装置によりロードされ、一連の連続したビデオフィールドにおいてフィルムマテリアルの存在を検出する命令を有するコンピュータプログラムであって、前記装置が処理手段及びメモリを有し、前記コンピュータプログラムが、ロードされた後に、
前記連続したフィールドの中の第１フィールドに対してビデオ運動測定値及びフィルム運動測定値を計算するステップと、
前記ビデオ運動測定値及び前記フィルム運動測定値に基づいて前記フィルムマテリアルの存在を決定するステップと、
を実行する能力を前記処理手段に与え、
前記ビデオ運動測定値が、
前記連続したフィールドの中の前記第１フィールドの対応する画素グループに対して複数の運動パターンを定め、
前記複数の運動パターンのそれぞれを所定のビデオ運動パターンと比較し、条件により前記ビデオ運動測定値を増加する、
ことにより計算され、
前記フィルム運動測定値が、
前記複数の運動パターンのそれぞれを所定のフィルム運動パターンと比較し、条件により前記フィルム運動測定値を増加する、
ことにより計算される、コンピュータプログラム。
【発明の詳細な説明】
【技術分野】
【０００１】
本発明は、一連の連続したビデオフィールドにおいてフィルムマテリアルの存在を検出する運動系列パターン検出器に関する。
【０００２】
本発明は更に、
一連の連続したビデオフィールドに対応する信号を受信する受信手段と、
上記運動系列パターン検出器と、
前記運動系列パターン検出器により制御され、前記一連の連続したビデオフィールドに基づいて出力画像の系列を計算する画像処理ユニットと、
を有する画像処理装置に関する。
【０００３】
本発明は更に、一連の連続したビデオフィールドにおいてフィルムマテリアルの存在を検出する方法に関する。
【０００４】
本発明は更に、一連の連続したビデオフィールドにおいてフィルムマテリアルの存在を検出する命令を有し、コンピュータ装置によりロードされるコンピュータプログラムに関する。
【背景技術】
【０００５】
ピクチャレートに注目する場合、３つのフォーマットが区別されることができる。
【０００６】
５０Ｈｚビデオは、ＰＡＬ又はＳＥＣＡＭとして周知である毎秒５０のインターレースフィールドを有する伝送規格である。各フレームは、６２５のラインを有し、偶数ライン及び奇数ラインは、フィールドとして交互に送信される。この５０Ｈｚビデオ規格は、日本及び北アメリカを除き世界中のほとんどの国で使用されている。
【０００７】
６０Ｈｚビデオは、ＮＴＳＣとして周知である毎秒６０（正確には５９．９４）のインターレースフィールドを有する伝送規格である。各フレームは５２５のラインを有し、偶数ライン及び奇数ラインはフィールドとして交互に送信される。この６０Ｈｚビデオ規格は日本及び北アメリカで使用される。
【０００８】
２４Ｈｚフィルム、即ちフィルムは、透明材料の長いストリップに動画を記録する方法に対応する。毎秒２４画像のフレームレートは、運動を捕える能力と時間間隔毎に要するフィルムの量との間の妥協点である。この規格は、前記ビデオ伝送規格より古い。伝送規格とより互換性を持つためにフレームレートを毎秒２５及び３０画像に適合することを試みた。幾つかの例外、例えばコマーシャルを除き、これらのフレームレートは、動画産業において広範囲の支持を得ることはなかった。したがって、２４Ｈｚフィルムが、動画に対して最も一般的に使用される規格のままである。
【０００９】
テレビが普及している媒体になったとき、新しいコンテンツに対する受容が増加した。これは、フォーマット変換方法を要求した。動画をテレビに変換するほかに、テレビ番組は、異なる伝送規格の間で交換された。このコンテンツも変換を必要とした。後に、テレビが優勢になったとき、ビデオマテリアルは、例えばテレビコマーシャルを映画館で見せるためにフィルムに変換された。芸術的及び経済的理由の両方のために、動画産業は、フィルムフォーマットをビデオフォーマットに変換するために依然として同じ手順を適用している。
【００１０】
フィルムをビデオに変換する処理は、テレシネ処理と称される。この処理の多くの実施例の１つは、フィルムを照らし、ビデオカメラを用いて前記フィルムを通る光を捕え、ビデオ信号の垂直ブランキング期間に前記フィルムを進めることである。フレームレートを２４Ｈｚフィルムから５０Ｈｚビデオ又は６０Ｈｚビデオに変更するために、“プルダウン（pull-down）”と称される処理が使用される。プルダウンは、新しいピクチャが利用可能になるまで、前記フィルムの前のピクチャが繰り返される方法である。この方法は、容易に機械的に実施されることができる。２４Ｈｚフィルムを５０Ｈｚビデオに変換するために、前記フィルムのピクチャレートは、前記フィルムをわずかに速く回すことにより毎秒２５ピクチャまで増加される。音声の速度及びピッチの４パーセントの増加は、一般人により迷惑だとは見なされない。この場合、各フィルムピクチャは、２回走査され、２つのビデオフィールドを作る。この方法は、２：２プルダウンと称される。図１Ｂを参照する。２４Ｈｚフィルムを６０Ｈｚビデオに変換するために、３０Ｈｚまでのスピードアップは、音声のこのスピードアップ及びピッチの変化が一般人により許容することができないと見なされるので、望ましくない。したがって、他の方法が使用され、ここで偶数フィルムピクチャが３回繰り返され、奇数フィルムピクチャが２回繰り返される。これは、倍率２．５でフレームレートの増加を引き起こし、結果として６０Ｈｚビデオ信号を生じる。この方法は、３：２プルダウンと称される。図１Ｃを参照する。
【００１１】
テレビのような画像処理装置は、元の入力画像の系列から出力画像のより大きな系列を計算する画像処理ユニットを有することができる。この場合、複数の出力画像は、時間的に連続した元の入力画像の間に配置される。この計算は、典型的には画像レート変換として既知である。画像レート変換に対して、受信された画像の収集ソースのタイプを決定することは適切である。これは、良い画質を達成するために、前記受信された画像が、より低い画像レートで順次走査モードで画像を収集したフィルムカメラから生じるのか、又はビデオ信号の画像レートで画像を収集したビデオカメラから生じるのかが検出されなければならないことを意味する。この検出に基づき、受信されたビデオフィールドは、画像を形成するために結合される。受信されたビデオフィールドがフィルムに対応する場合には、２つの連続したフィールドは、比較的容易に組み合わされることができる。受信されたビデオフィールドがビデオに対応する場合には、画像内で検出された運動により制御されるビデオフィールドの画素値の補間が必要とされる。フィルムモードしてのビデオモード信号の不正確な取り扱いは、出力画像に明確に見える深刻なアーチファクトを生じる可能性がある。これらのアーチファクトは、“フォーク（forks）”、“マウスティース（mouse teeth）”、“コームエフェクト（comb effect）”又は“ジッパ（zippers）”として既知である。間違ったビデオモード検出は、深刻度は低いが、アーチファクトを生じる。
【００１２】
一般に、前記画像処理装置により受信された信号は、一連のビデオフィールドの収集ソースのタイプの明示的な指示を有していない。結果として、この情報は、ビデオフィールド自体から抽出されなければならない。典型的には、これは、運動系列パターンを検出する手段により行われる。
【００１３】
冒頭の段落に記載されたような運動系列パターン検出器の実施例は、米国特許ＵＳ４９８２２８０から既知である。この特許明細書は、フィルムモード又は順次走査モードのような、一連のビデオフィールド内の運動系列の周期的パターンを検出するように構成された運動系列パターン検出器を開示する。前記運動系列パターン検出器は、前記一連のビデオフィールドの所定のインクリメント内でインクリメントからインクリメントまで運動の存在を検出し、この結果、各前記インクリメントに対する第１運動検出信号を出力する運動検出器を有する。前記運動検出器は、連続したビデオフィールドの画素値の間の差を計算し、この計算結果を閾値と比較してノイズの影響を減少する。前記運動系列パターン検出器は、更に、前記第１運動検出信号に応答して前記一連のビデオフィールド内で前記運動系列の周期的パターンを検出する論理回路を有する。
【００１４】
現今では、バナー、即ちスクロールするテキスト、及び他のソースから生じたビデオデータに重ねられた他の情報を持つことが流行している。一般に、これらのスクロールするテキストは、ビデオモードである。これらが重ねられるビデオデータは、フィルムモードである可能性がある。この結果は、フィルムモードのオブジェクト又は領域及びビデオモードのオブジェクトの両方を含むビデオフィールドの系列である（図５を参照）。このような系列は、ハイブリッド系列と称される。
【００１５】
この混合又は重ね合わせのほかに、幾つかの圧縮アルゴリズムが、２：２プルダウンが導入されるような様式で前記系列の一部を符号化するように構成される。このような圧縮アルゴリズムの例は、ＤＶ（デジタルビデオ）符号化である。ＤＶ符号化において、画像の一部がフレームに基づいて符号化され、他の部分はフィールドに基づいて符号化される。これは符号化効率を増加する。符号化アーチファクトは、ハイブリッド信号と同様な運動パターンを生じる可能性がある。
【００１６】
ほとんどの利用可能なフィルム検出器は、系列をフィルムモード又はビデオモードのいずれかに分類するように構成されるので、ハイブリッド系列を処理するように設計されていない。例えばフレームレート変換に対して、この分類は十分ではない。したがって、このような検出器は、ハイブリッド信号に対して信頼できない。ハイブリッド系列がフィルムモードとして検出される場合、ビデオモードである領域においてフレームレート変換により迷惑なアーチファクトが導入される。
【００１７】
特許出願ＵＳ２００２／０１３１４９９において、ハイブリッド検出器が開示される。この検出器は以下のように機能する。フィルムモードを検出する前に、テレビ信号のフィールドが、分割技術により異なるオブジェクトに分離される。これを行う如何なる既知の技術がこの目的のために使用されてもよい。次いで、各個々のオブジェクトのフィルムモードが検出される。如何なる既知のフィルムモード検出技術がこの目的のために使用されてもよい。これに関連して、“オブジェクト”は、フィールド内の個々の画像の一部であることができる。“オブジェクト”は、単一の運動モデルで記述されることができる画像部分として定義される。このような“オブジェクト”は、必ずしも１人のピクチャのような１つの“物理的な”オブジェクトを含む必要はない。オブジェクトは、１つより多い物理的オブジェクト、例えば人及び自転車の運動が基本的に同じ運動モデルで記述されることができる場合には前記自転車に座っている前記人に関連するであろう。これに対し、このように識別されたオブジェクトが１つの単一フィルムソースから生じる１つの単一画像に属すると安全に仮定することができる。
【００１８】
この既知のハイブリッド検出器の不利点は、異なる分割ステップが必要とされることである。ロバスト分割は一般に比較的複雑であるので、なおさらである。
【発明の開示】
【発明が解決しようとする課題】
【００１９】
本発明の目的は、ハイブリッド系列を処理するように構成され、かつ比較的単純である、冒頭の段落に記載されたような運動系列パターン検出器を提供することである。
【課題を解決するための手段】
【００２０】
本発明の目的は、運動系列パターン検出器が、
連続したフィールドの中の第１フィールドに対してビデオ運動測定値及びフィルム運動測定値を計算し、
前記ビデオ運動測定値及び前記フィルム運動測定値に基づいてフィルムマテリアルの存在を決定する、
ように構成された処理手段を有し、
前記ビデオ運動測定値が、
前記連続したフィールドの中の前記第１フィールドの対応する画素グループに対して複数の運動パターンを定め（establishing）、
前記複数の運動パターンのそれぞれを所定のビデオ運動パターンと比較し、条件により前記ビデオ運動測定値を増加する、
ことにより計算され、
前記フィルム運動測定値が、
前記複数の運動パターンのそれぞれを所定のフィルム運動パターンと比較し、条件により前記フィルム運動測定値を増加する、
ことにより計算されることにより達成される。
【００２１】
意味論的な意味で前記フィールドをオブジェクトに分割する代わりに、例えばサブサンプリングを用いて複数の画素グループが作成される。これらのグループの数は、フィールド内の画素の数のオーダーであり、例えば前記フィールド内の画素の総数の１０％又は５０％である。好ましくは、前記画素グループは、それぞれ１つの画素のみを持つ。これらの画素グループのそれぞれに対して、運動パターンが定められ、２つのパターン照合が実行される。前記処理手段は、前記定められた運動パターンが典型的なビデオパターンに対応するのか、又は前記定められた運動パターンが典型的なフィルムパターンに対応するのかを確認するように構成される。これらの確認の後に、対応する画素グループに対して、この画素グループに対して見込みのあるモード、即ちフィルムモード又はビデオモードがわかる。前記連続したフィールドの中の前記第１フィールドに対して、画素グループがフィルムモードを持つと決定された回数をカウントすることにより、当該フィールドに対するフィルム運動測定値が決定される。前記連続したフィールドの中の前記第１フィールドに対して、画素グループがビデオモードを持つと決定された回数をカウントすることにより、当該フィールドのビデオ運動測定値が決定される。最終的な分類は、前記ビデオ運動測定値と前記フィルム運動測定値との間の比に基づいて行われ、即ち、
前記フィルム運動測定値が比較的高く、かつ前記ビデオ運動測定値が比較的低い場合に、前記フィールドは、主としてフィルムカメラから生じるマテリアルを有し、即ち前記フィールドはフィルムモードに対応し、
前記ビデオ運動測定値が比較的高く、かつ前記フィルム運動測定値が比較的低い場合に、前記フィールドは、主としてインターレースビデオカメラから生じるマテリアルを有し、即ち前記フィールドはビデオモードに対応し、
前記ビデオ運動測定値及び前記フィルム運動測定値が同程度である場合に、前記フィールドは、インターレースビデオカメラから生じるマテリアル及びフィルムカメラから生じるマテリアルを有し、即ち前記フィールドはハイブリッドモードに対応し、
前記ビデオ運動測定値が比較的低く、かつ前記フィルム運動測定値が比較的低い場合に、大きな運動は検出されておらず、即ち前記フィールドは静止モードに対応する。
【００２２】
本発明による前記運動系列パターン検出器の実施例において、前記処理手段は、
前記連続したフィールドの中の前記第１フィールドの第１画素値と前記連続したフィールドの中の第２フィールドから算出される第２の値との間の第１の差と、
前記連続したフィールドの中の第３フィールドの第３画素値と前記連続したフィールドの中の前記第２フィールドから算出される第４の値との間の第２の差と、
を計算することにより前記運動パターンの中の第１運動パターンを定めるように構成される。
【００２３】
したがって、前記運動パターンは、後のフィールドから算出された値の間の２つの差を有する。このようなパターンの計算は比較的容易であり、比較的少ない計算リソース使用量を要する。好ましくは、前記２つの差は閾値と比較され、ノイズから運動を区別する。これは、前記処理手段が、前記第１の差を第１の所定の運動閾値と比較し、前記第２の差を第２の所定の運動閾値と比較することにより運動パターンを定めるように構成される。典型的には、前記第１の所定の運動閾値及び前記第２の所定の運動閾値は、互いに等しい。随意に、前記第２の値及び前記第４の値は、互いに等しい。好ましくは、前記第２の値は、他のフィールド、例えば前記連続したフィールドの中の前記第１フィールドの画素値にも基づく。好ましくは、前記第４の値は、他のフィールド、例えば前記連続したフィールドの中の前記第３フィールドの画素値にも基づく。
【００２４】
本発明による前記運動系列パターン検出器の実施例において、前記処理手段は、前記第１の差が前記第１の所定の運動閾値より大きく、かつ前記第２の差が前記第２の所定の運動閾値より大きい場合に前記ビデオ運動測定値を増加するように構成される。前記運動パターンが２つの比較的高い値を有する場合には、前記運動パターンはビデオモードに対応すると仮定される。結果として、前記ビデオ運動測定値が増加されなければならない。
【００２５】
本発明による前記運動系列パターン検出器の実施例において、前記処理手段は、前記第１の差のみが前記第１の所定の運動閾値より大きいか、又は前記第２の差のみが前記第２の所定の運動閾値より大きい場合に前記フィルム運動測定値を修正するように構成される。前記運動パターンが１つの比較的高い値及び１つの比較的低い値を有する場合には、前記運動パターンはフィルムモードに対応すると仮定される。結果として、前記フィルム運動測定値は、増加されなければならない。
【００２６】
本発明による前記運動系列パターン検出器の実施例において、前記処理手段は、
前記連続したフィールドの中の前記第１フィールドの前記第１画素値と前記連続したフィールドの中の前記第３フィールドの前記第３画素値との間の第３の差を計算し、
前記第１の差及び前記第３の差の第１最小値を計算し、前記第１最小値を前記第１の差に割り当て、
前記第２の差及び前記第３の差の第２最小値を計算し、前記第２最小値を前記第２の差に割り当てる、
ことにより前記運動パターンの中の第１運動パターンを定めるように構成される。
【００２７】
この実施例の利点は、垂直方向の細部、例えば１つのビデオラインのサイズと実質的に等しい垂直サイズをもつ画像内の構造を正しく処理するように構成されていることである。例えば前記奇数フィールドに存在するが前記偶数フィールドに存在しない構造は、運動として解釈されることができる。この誤った解釈を克服するために、前記第３の差との比較が行われる。
【００２８】
本発明による前記運動系列パターン検出器の実施例は、前記画素グループの中の第１画素グループに対応する前記運動パターンの中の第１運動パターンと前記所定のフィルム運動パターンとの比較に基づいて前記第１画素グループに対応する位置におけるフィルムマテリアルの存在を指示する信号を出力するように構成される。前記フィールドに対する分類値（フィルム、ビデオ、ハイブリッド又は静止）を提供する代わりに、より詳細な情報、例えば前記画像の何れの部分がフィルムモードに対応し、何れの部分がビデオモードに対応するかを表す一種のマスクが提供される。
【００２９】
本発明による前記運動系列パターン検出器の実施例は、
前記連続したフィールドの中の前記第１フィールドの第１画素セットに対して第１コントラスト測定値を計算する手段と、
前記第１コントラスト測定値を所定のコントラスト閾値と比較する手段と、
前記第１コントラスト測定値が前記所定のコントラスト閾値より高い場合に前記第１画素セットを前記第１画素グループとして割り当てる手段と、
により前記画素グループの中の第１画素グループを選択するコントラスト測定ユニットを有する。
【００３０】
比較的高いコントラスト量を有する画素又は画素グループを選択することにより、ノイズ感度が減少される。換言すると、この運動系列パターン検出器の利点は、よりロバストであることである。
【００３１】
本発明による前記運動系列パターン検出器の実施例において、前記コントラスト測定ユニットは、前記第１画素セット内の画素の第１画素の値と前記連続したフィールドの中の前記第１フィールドの他の画素の値との間の第１の差の計算に基づいて前記第１コントラスト測定値を計算するように構成される。この実施例は、空間コントラストを計算するように構成される。
【００３２】
本発明による前記運動系列パターン検出器の実施例において、前記コントラスト測定ユニットは、前記第１画素セット内の画素の前記第１画素の値と前記連続したフィールドの中の第２フィールドの他の画素の値との間の第２の差の計算に基づいて前記第１コントラスト測定値を計算するように構成される。この実施例は、時空コントラストを計算するように構成される。
【００３３】
本発明による前記運動系列パターン検出器の実施例は、前記連続したフィールドの中の前記第１フィールドに対して計算された前記コントラスト測定値が前記所定のコントラスト閾値を超えた回数に基づいて新しい所定のコントラスト閾値を計算するように構成される。換言すると、前記コントラスト閾値の値は動的に適合される。結果として、運動パターン照合に対して使用される画素グループの数は、時間に対して比較的一定である。本発明によるこの実施例の利点は、計算の回数が比較的一定であることである。
【００３４】
本発明の他の目的は、ハイブリッド系列を処理するように構成され、かつ比較的単純である運動系列パターン検出器を有する冒頭の段落に記載されたような画像処理装置を提供することである。
【００３５】
本発明のこの目的は、前記画像処理装置の前記運動系列パターン検出器が、
連続したフィールドの中の第１フィールドに対してビデオ運動測定値及びフィルム運動測定値を計算し、
前記ビデオ運動測定値及び前記フィルム運動測定値に基づいてフィルムマテリアルの存在を決定する、
ように構成された処理手段を有し、
前記ビデオ運動測定値が、
前記連続したフィールドの中の前記第１フィールドの対応する画素グループに対して複数の運動パターンを定め、
前記複数の運動パターンのそれぞれを所定のビデオ運動パターンと比較し、条件により前記ビデオ運動測定値を増加する、
ことにより計算され、
前記フィルム運動測定値が、
前記複数の運動パターンのそれぞれを所定のフィルム運動パターンと比較し、条件により前記フィルム運動測定値を増加する、
ことにより計算されることにより達成される。
【００３６】
前記画像処理装置の画像処理ユニットは、１つ又は複数の以下のタイプの画像処理をサポートすることができる。
【００３７】
１つはビデオ圧縮、即ち例えばＭＰＥＧ規格による符号化又は復号である。
【００３８】
１つはデインターレースである。インターレースは奇数又は偶数番号ラインを交互に送信する一般的なビデオ放送手順である。デインターレースは、完全な垂直解像度を復元することを試み、即ち奇数及び偶数ラインを各画像に対して同時に利用可能にする。
【００３９】
１つは画像レート変換である。元の入力画像の系列から、出力画像のより大きな系列が計算される。出力画像は、時間的に２つの元の入力画像の間に配置される。
【００４０】
１つは時間的ノイズリダクションである。これは、空間処理をも含むことができ、結果として時空ノイズリダクションを生じる。
【００４１】
前記画像処理装置は、随意に前記出力画像を表示する表示デバイスを有する。前記画像処理装置は、随意に、画像、即ち前記入力画像又は前記出力画像の何れかを記憶する記憶手段を有する。前記画像処理装置は、例えばテレビ、セットトップボックス、ＶＣＲ（ビデオカセットレコーダ）プレーヤ、衛星チューナ又はＤＶＤ（デジタル多用途ディスク）プレーヤ若しくはレコーダであってもよい。
【００４２】
本発明の他の目的は、ハイブリッド系列を処理することができ、かつ比較的単純である冒頭の段落に記載されたような方法を提供することである。
【００４３】
本発明のこの目的は、一連の連続したビデオフィールドにおいてフィルムマテリアルの存在を検出する方法が、
前記連続したフィールドの中の第１フィールドに対してビデオ運動測定値及びフィルム運動測定値を計算するステップと、
前記ビデオ運動測定値及び前記フィルム運動測定値に基づいて前記フィルムマテリアルの存在を決定するステップと、
を有し、
前記ビデオ運動測定値が、
前記連続したフィールドの中の前記第１フィールドの対応する画素グループに対して複数の運動パターンを定め、
前記複数の運動パターンのそれぞれを所定のビデオ運動パターンと比較し、条件により前記ビデオ運動測定値を増加する、
ことにより計算され、
前記フィルム運動測定値が、
前記複数の運動パターンのそれぞれを所定のフィルム運動パターンと比較し、条件により前記フィルム運動測定値を増加する、
ことにより計算されることにより達成される。
【００４４】
本発明の他の目的は、ハイブリッド系列を処理することができ、かつ比較的単純である冒頭の段落に記載されたようなコンピュータプログラムを提供することである。
【００４５】
本発明のこの目的は、前記コンピュータプログラムが、ロードされた後に、
前記連続したフィールドの中の第１フィールドに対してビデオ運動測定値及びフィルム運動測定値を計算するステップと、
前記ビデオ運動測定値及び前記フィルム運動測定値に基づいて前記フィルムマテリアルの存在を決定するステップと、
を実行する能力を前記処理手段に与え、
前記ビデオ運動測定値が、
前記連続したフィールドの中の前記第１フィールドの対応する画素グループに対して複数の運動パターンを定め、
前記複数の運動パターンのそれぞれを所定のビデオ運動パターンと比較し、条件により前記ビデオ運動測定値を増加する、
ことにより計算され、
前記フィルム運動測定値が、
前記複数の運動パターンのそれぞれを所定のフィルム運動パターンと比較し、条件により前記フィルム運動測定値を増加する、
ことにより計算されることにより達成される。
前記運動系列パターン検出器の修正例及び変更例は、記載された前記方法、前記コンピュータプログラム及び前記画像処理装置の修正例及び変更例に対応することができる。
【００４６】
本発明による前記運動系列パターン検出器、前記方法、前記コンピュータプログラム及び前記画像処理装置のこれら及び他の態様は、以下に記載される実装例及び実施例に関して添付図面を参照して説明され、明らかになる。
【００４７】
同じ参照符号は、図面を通して同様の部分を示すために使用される。
【発明を実施するための最良の形態】
【００４８】
図１Ａは、ビデオ信号の２つの連続したフィールド１００及び１０２を概略的に示す。第１フィールド１００は、例えばフレームの奇数ラインの画素値１０４〜１１２を有し、第２フィールド１０２は、例えば前記フレームの偶数ラインの画素値１１４〜１２２を有する。例えば第２フィールド１０２の画素１１６に対応するフレーム座標において、第１フィールド１００において直接的に利用可能である画素値１２４は存在しない。これは、画素値１２４が必要とされる場合に、この画素値が他の画素値から算出されなければならないことを意味する。例えば、この画素値が算出され、即ち、第１フィールド１００の画素値の補間、例えば画素値１０４〜１０９に基づく補間によって計算されることができる。随意に、より少ない画素値が考慮される。補間は、中央値演算のような順序統計演算をも含むことができる。これは、フィールド１０２又は（図示されていない）フィールド１００の前のフィールドからの画素をも含むことができる。
【００４９】
図１Ｂは、２：２プルダウンを概略的に示す。２５Ｈｚの周波数を持つピクチャ１３０〜１３６の入力ストリームが、５０Ｈｚの周波数を持つビデオフィールド１３８〜１５２の出力ストリームにアップコンバートされる。前記ビデオフィールドの異なる位相（phase）｛０，１｝は、ビデオフィールド１３８〜１５２の下に示されている。このフィルム位相は、繰り返しパターン内の位置を指示し、典型的にはフィルム検出器において計算される。
【００５０】
図１Ｃは、３：２プルダウンを概略的に示す。２４Ｈｚの周波数を持つピクチャ１６０〜１６４の入力ストリームが、６０Ｈｚの周波数を持つビデオフィールド１６８〜１８２の出力ストリームにアップコンバートされる。前記ビデオフィールドの異なる位相｛０，１，２，３，４｝は、ビデオフィールド１６８〜１８２の下に示されている。
【００５１】
図２は、３つの連続したビデオフィールド、即ち現在のフィールドｃ、前のフィールドｐ及び２つ前のフィールドｐｐの複数の画素２０２〜２２２を概略的に示す。前記現在のフィールドはｎに対応し、前記前のフィールドはｎ−１に対応し、前記２つ前のフィールドはｎ−２に対応する。現在のフィールドｃ及び２つ前のフィールドｐｐは偶数ラインを有し、前のフィールドｐは奇数ラインを有する。この文書において、画素の画素値は、３次元輝度関数
2006510267.tif 000003
で示され、ベクトル
2006510267.tif 000004
は２つの空間座標ｘ及びｙを有する。２つ前のフィールドｐｐの画素２０２〜２０８は、前のフィールドｐの画素２１０〜２１４が属する列のｘ座標と等しく、かつ現在のフィールドｃの画素２１６〜２２２が属する列のｘ座標と等しい特定のｘ座標を持つ列の画素に対応する。前記画素の幾つかに対して、前記座標が描かれている。例えば画素２０４は座標(ｘ，ｙ，ｎ−２)を持ち、画素２１０は座標(ｘ，ｙ−１，ｎ−１)を持つ。
【００５２】
図１Ａと関連して説明されたように、直接的に利用可能な画素値が存在しない画素に対して画素値を決定することは可能である。例えば座標(ｘ，ｙ，ｎ−１)を持つ画素に対する値は、(ｘ，ｙ，ｎ−１)の時空環境における画素値を用いて決定されることができる。
【００５３】
図３Ａは、本発明による運動系列パターン検出器３００の実施例を概略的に示し、この実施例は、
運動系列パターン検出器３００にそれぞれの画素の輝度値を与える複数の入力接続部と、
複数のデインターレースユニット３０２及び３０４と、
２つの入力値の間の絶対差を計算する複数の減算ユニット３０６〜３１０と、
前記２つの入力値の最小値を決定する複数の最小値演算器３１２及び３１４と、
入力値が所定の閾値より高いかどうかを検出する複数の比較器３１６及び３１８と、
複数のインバータ及びＡＮＤ演算器を有する論理回路３２０と、
複数のカウンタ３２２〜３２６と、
カウンタ３２２〜３２６の結果を結合する結合ユニット３２８と、
複数の出力コネクタ３３０及び３３２と、
１つのフィールドに対する計算が完了した後にカウンタ３２２〜３２６の値をリセットする制御インターフェース３３４と、
第１の所定の運動閾値Ｔmp及び第２の所定の運動閾値Ｔmcの値を適合する複数の制御インターフェース３３６及び３３８と、
を有する。
【００５４】
運動系列パターン検出器３００は、１つのプロセッサを使用して実施されることができる。通常は、これらの機能は、ソフトウェアプログラムの制御下で実行される。実行中、通常は、前記ソフトウェアプログラムはＲＡＭのようなメモリにロードされ、前記メモリから実行される。前記プログラムは、ＲＯＭ、ハードディスク又は磁気及び／若しくは光記憶デバイスのような背景メモリからロードされることができるか、又はインターネットのようなネットワークを介してロードされることができる。随意に、特定用途向け集積回路が、開示された機能を提供する。
【００５５】
前記運動系列パターン検出器の動作は以下の通りである。
【００５６】
座標(ｘ，ｙ，ｎ)を持つ特定の画素２１８に対して、モードが決定されなければならないと仮定する。運動系列パターン検出器３００には、複数の画素値が与えられている。代わりに、運動系列パターン検出器３００は、メモリデバイス３４２にアクセスしてこれらの画素値を取り出すように構成される。この実施例は、座標(ｘ，ｙ，ｎ)を持つ画素２１８に対してモードを決定するために、以下の画素値Ｆ(ｘ，ｙ，ｎ)、Ｆ(ｘ，ｙ，ｎ−２)、Ｆ(ｘ，ｙ−１，ｎ−１)及びＦ(ｘ，ｙ＋１，ｎ−１)を必要とする（図２参照）。
【００５７】
これらの画素値の３つに基づいて、第１推定値
2006510267.tif 000005
は、座標(ｘ，ｙ，ｎ−１)を持つ画素に対して計算される。これは、第１デインターレースユニット３０４により行われる。この場合、デインターレースは、式(１)で指定された中央値演算に基づく。
【数１】
2006510267.tif 000006
【００５８】
代わりに、例えば平均化演算に基づく他のタイプのデインターレースが適用されることができる。
【００５９】
入力画素値の３つに基づいて、第２推定値
2006510267.tif 000007
は、座標(ｘ，ｙ，ｎ−１)を持つ画素に対して計算される。これは、第２デインターレースユニット３０２により行われる。この場合、デインターレースは、式(２)で指定された中央値演算に基づく。
【数２】
2006510267.tif 000008
【００６０】
次のステップは、
式(３)で指定されるように、前記連続したフィールドの中の第１フィールドｐｐの第１画素値Ｆ(ｘ，ｙ，ｎ−２)と前記連続したフィールドの中の第２フィールドｐから算出される第１推定値
2006510267.tif 000009
との間の第１の差δp(ｘ，ｙ)と、
式(４)で指定されるように、前記連続したフィールドの中の第３フィールドｃの第３画素値Ｆ(ｘ，ｙ，ｎ)と前記連続したフィールドの中の第２フィールドｐから算出される第２推定値
2006510267.tif 000010
との間の第２の差δc(ｘ，ｙ)と、
を計算するステップを有する。
【数３】
2006510267.tif 000011
【００６１】
次のステップは、
式(５)で指定されるように、前記連続したフィールドの中の第１フィールドｐｐの第１画素値Ｆ(ｘ，ｙ，ｎ−２)と前記連続したフィールドの中の第３フィールドｃの第３画素値Ｆ(ｘ，ｙ，ｎ)との間の第３の差δf(ｘ，ｙ)を計算するステップと、
式(６)で指定されるように、第１の差δp(ｘ，ｙ)及び第３の差δf(ｘ，ｙ)の第１最小値δ'p(ｘ，ｙ)を計算し、前記第１最小値を前記第１の差に割り当てるステップと、
式(７)で指定されるように、第２の差δc(ｘ，ｙ)及び第３の差δf(ｘ，ｙ)の第２最小値δ'c(ｘ，ｙ)を計算し、前記第２最小値を前記第２の差に割り当てるステップと、
を有する。
【数４】
2006510267.tif 000012
【００６２】
次のステップは、第１の差δ'p(ｘ，ｙ)を第１の所定の運動閾値Ｔmpと比較し、第２の差δ'c(ｘ，ｙ)を第２の所定の運動閾値Ｔmcと比較するステップを有する。これは、それぞれ比較器３１８及び３１６を用いて行われる。比較器３１８は、座標(ｘ，ｙ，ｎ−１)を持つ第１の算出された画素と座標(ｘ，ｙ，ｎ−２)を持つ画素２０４との間に運動が存在するかどうかを指示するブール値Ｍp(ｘ，ｙ)を出力として与える。比較器３１６は、座標(ｘ，ｙ，ｎ)を持つ特定の画素２１８と座標(ｘ，ｙ，ｎ−１)を持つ第２の算出された画素との間に運動があるかどうかを指示するブール値Ｍc(ｘ，ｙ)を出力として与える。比較器３１８の入出力関係は式(８)で指定され、比較器３１６の入出力関係は式(９)で指定される。
δ'p(ｘ，ｙ)＞Ｔmpの場合Ｍp(ｘ，ｙ)＝１、それ以外の場合Ｍp(ｘ，ｙ)＝０  （８）
δ'c(ｘ，ｙ)＞Ｔmcの場合Ｍc(ｘ，ｙ)＝１、それ以外の場合Ｍc(ｘ，ｙ)＝０  （９）
【００６３】
表１は、Ｍp(ｘ，ｙ)の値及びＭc(ｘ，ｙ)の値の４つの異なる可能な組み合わせを示す。これらの組み合わせは、可能な運動パターン１〜４に対応する。これらのパターンのそれぞれに対して、表１は、前記運動パターンが所定のビデオ運動パターンであるのか、又は所定のフィルム運動パターンの１つであるのかを指示する。
【００６４】
【表１】
2006510267.tif 000013
【００６５】
したがって、Ｍp(ｘ，ｙ)の値及びＭc(ｘ，ｙ)の値に基づいて、特定の画素２１８に対するモードが決定される。
【００６６】
各フィールドの多数Ｎの画素に対して、例えばフィールドの２５％の画素に対してモードが決定される。前記画素は、単純なサブサンプリング戦略に基づいて選択されることができる。このモード決定の結果は、複数のカウンタ３２２〜３２６を用いて蓄積される。式(１０)で指定されるように、識別２を持つパターンが検出されるたびに、ＳAfilmの値は１だけ増加される。
ＳAfilm＝ΣN{１｜Ｍp(ｘ，ｙ)＝０∧Ｍc(ｘ，ｙ)＝１}  （１０）
式(１１)で指定されるように、識別３を持つパターンが検出されるたびに、ＳBfilmの値は１だけ増加される。
ＳBfilm＝ΣN{１｜Ｍp(ｘ，ｙ)＝１∧Ｍc(ｘ，ｙ)＝０}  （１１）
式(１２)で指定されるように、識別４を持つパターンが検出されるたびに、Ｓvideoの値は１だけ増加される。
Ｓvideo＝ΣN{１｜Ｍp(ｘ，ｙ)＝１∧Ｍc(ｘ，ｙ)＝１}  （１２）
【００６７】
最終的に、カウンタ３２２〜３２６の値ＳAfilm、Ｓvideo及びＳBfilmは、結合ユニット３２８を用いて結合される。結合ユニット３２８により実行される演算の１つは式(１３)で指定される。“min（最小値）”の項の減算の理由は、被覆（covering）及び無被覆（uncovering）の効果を除去するためである。この減算は随意的である。
Ｓfilm＝|ＳAfilm−ＳBfilm|−min(ＳAfilm,ＳBfilm)  （１３）
最終的に２つの値を有するベクトル
2006510267.tif 000014
は、式(１４)に示されるように得られる。
【数５】
2006510267.tif 000015
このベクトル
2006510267.tif 000016
は、図４に描かれるように閾値のセットを使用してモードを検出するために使用されることができる。このモードは出力コネクタ３３０において与えられる。随意に、ベクトル
2006510267.tif 000017
は、出力コネクタ３３０において与えられる。随意に、画素又は画素グループ毎のモードのタイプを指示する２次元マスクが、出力コネクタ３３２において与えられる（図５を参照）。
【００６８】
図３Ｂは、コントラスト測定ユニット３４０を有する本発明による運動系列パターン検出器３０１の実施例を概略的に示す。コントラスト測定ユニット３４０は、前記ビデオフィールドの画素値に基づいて画素グループを選択するように構成される。更に具体的には、画素値の間の差に基づく。
【００６９】
前記画素グループのそれぞれが１つの対応する画素を含むと仮定する。特定の画素が運動パターン検出に対して選択されるべきであるかどうかを決定するステップは、
前記特定の画素に対するコントラスト測定値Ｃ1(ｘ，ｙ，ｎ)を計算するステップと、
コントラスト測定値Ｃ1(ｘ，ｙ，ｎ)を所定のコントラスト閾値Ｔc(ｎ)と比較するステップと、
コントラスト測定値Ｃ1(ｘ，ｙ，ｎ)が所定のコントラスト閾値Ｔc(ｎ)より高い場合に前記特定の画素を前記第１画素グループとして割り当てるステップと、
を有する。
【００７０】
座標ｎを持つビデオフィールドの多数の画素をテストすることにより、画素グループの集合Ｂ(ｎ)が当該フィールドに対して作成される。集合Ｂ(ｎ)は式(１５)によって指定される。
Ｂ(ｎ)＝{(ｘ，ｙ)｜∀Ｃ1(ｘ，ｙ，ｎ)＞Ｔc(ｎ)}  （１５）
【００７１】
コントラスト測定値Ｃi(ｘ，ｙ，ｎ)を計算するために、(ｘ，ｙ，ｎ)に関して空間又は時間画素が使用されることができる。随意に、複数の比較が行われる。これは、幾つかの例により説明される。
【００７２】
第１コントラスト測定値Ｃ1(ｘ，ｙ，ｎ)は、式(１６)で指定されるように、前記特定の画素値と同じフィールドの他の画素値との間の第１の差の計算に基づいて計算されると仮定する。
Ｃ1(ｘ，ｙ，ｎ)＝Ｆ(ｘ，ｙ，ｎ)−Ｆ(ｘ，ｙ−２，ｎ)  （１６）
【００７３】
第２コントラスト測定値Ｃ2(ｘ，ｙ，ｎ)は、式(１７)で指定されるように、前記特定の画素値と同じフィールドの他の画素値との間の第２の差の計算に基づいて計算されると仮定する。
Ｃ2(ｘ，ｙ，ｎ)＝Ｆ(ｘ，ｙ，ｎ)−Ｆ(ｘ−１，ｙ，ｎ)  （１７）
【００７４】
第３コントラスト測定値Ｃ3(ｘ，ｙ，ｎ)は、式(１８)で指定されるように、前記特定の画素値と他のフィールドの画素値との間の第３の差の計算に基づいて計算されると仮定する。
Ｃ3(ｘ，ｙ，ｎ)＝Ｆ(ｘ，ｙ，ｎ)−Ｆ(ｘ，ｙ，ｎ−２)  （１８）
【００７５】
式(１５)は式(１９)に書き換えられることができる。
Ｂ(ｎ)＝{(ｘ，ｙ)｜∀(Ｃ1(ｘ，ｙ，ｎ)＞Ｔc(ｎ)∧Ｃ2(ｘ，ｙ，ｎ)＞Ｔc(ｎ)∧Ｃ3(ｘ，ｙ，ｎ)＞Ｔc(ｎ))}  （１９）
【００７６】
局所的なコントラストを推定するために、即ちコントラスト測定値Ｃi(ｘ，ｙ，ｎ)を計算するために、代替アプローチが適用されることができることは、明らかであろう。時空環境と比較して比較的高いコントラストを持つ画素のみが、運動パターン検出のために選択される。
【００７７】
好ましくは、コントラスト閾値Ｔc(ｎ)の値は動的に適合される。例えば、特定のフィールドに対する実際に選択された画素グループが目標値より高い場合に、次のフィールドに対するコントラスト閾値Ｔc(ｎ＋１)の値は、Ｔc(ｎ)の増加された値に基づく。特定のフィールドに対する実際に選択された画素グループが目標値より低い場合に、次のフィールドに対するコントラスト閾値Ｔc(ｎ＋１)の値は、Ｔc(ｎ)の減少された値に基づく。前記目標値は、前記フィールドの画素の総数の２０％に等しくてもよい。結果として、運動パターン照合に対してフィールド毎に使用される画素グループの数は、時間に対して比較的一定である。本発明によるこの実施例の利点は、計算回数が比較的一定であることである。
【００７８】
随意に、第１の所定の運動閾値Ｔmp及び第２の所定の運動閾値Ｔmcの値は、例えば式(２０)及び(２１)で指定されるように、コントラスト閾値Ｔc(ｎ)の値に依存する。
Ｔmp(ｎ)＝０．５Ｔc(ｎ)  （２０）
Ｔmc(ｎ)＝０．５Ｔc(ｎ)  （２１）
これは、高いコントラストを持つフィールドに対して前記運動閾値が高く、したがって前記運動系列パターン検出器が、運動感度の損失無しでノイズに対して比較的感度が低くなることを意味する。したがって、ノイズ感度と運動感度との間の妥協点はビデオ信号におけるコントラストに対して自動的に適合されるので、この実施例の利点はグレースフル・デグラデーション（graceful degradation）である。
【００７９】
図４は、２次元特徴空間を概略的に示す。ｘ軸４０２は、式(１３)で指定されるパラメータＳfilmに対応する。ｙ軸４０４は、式(１２)で指定されるパラメータＳvideoに対応する。この２つの軸が前記運動パターンを分類するのに使用される画素の総数に対して正規化されることに注意する。これは、前記２次元特徴空間内の位置が、ベクトル
2006510267.tif 000018
に対応することを意味する。前記２次元特徴空間は、複数の境界４０６〜４１０によって複数の領域に分割される。前記領域のそれぞれが、特定のモードに対応する。換言すると、計算された
2006510267.tif 000019
及び図４により概略的に与えられた分類の規則に基づいて、特定のフィールドに対する最終的なモードが決定される。
【００８０】
I：前記フィールドは、主としてインターレースビデオカメラから生じるマテリアルを有し、したがって前記フィールドはビデオモードに対応する。
【００８１】
II：前記フィールドは、主としてフィルムカメラから生じるマテリアルを有し、したがって前記フィールドはフィルムモードに対応する。
【００８２】
III：前記フィールドは、インターレースビデオカメラから生じるマテリアル及びフィルムカメラから生じるマテリアルを有し、したがって前記フィールドはハイブリッドモードに対応する。
【００８３】
IV：大きな運動は検出されず、したがって前記フィールドは静止モードに対応する。
【００８４】
図５は、ハイブリッド系列のフィールドのモードのタイプを指示する２次元マスク５００を概略的に示す。フィールドの大部分５０４は、フィルムカメラから生じるマテリアルを有し、比較的小さな部分５０２のみがビデオマテリアルに対応する。図５に描かれるマスクは、運動系列パターン検出器３００の出力であり、出力コネクタ３３２において与えられる。
【００８５】
図６は、
ビデオフィールドを有する入力画像を表す信号を受信する受信手段６０２であって、前記信号が、アンテナ又はケーブルを介して受信された放送信号であってもよいが、ＶＣＲ（ビデオカセットレコーダ）又はデジタル多用途ディスク（ＤＶＤ）のような記憶デバイスからの信号であってもよく、前記信号が入力コネクタ６１０に与えられる受信手段６０２と、
図３Ａ又は３Ｂのいずれかに関して記載された運動系列パターン検出器６０８と、
一連のビデオフィールドに基づいて、出力画像の系列を計算する画像処理ユニット６０４であって、画像処理ユニット６０４が運動系列パターン検出器６０８により制御され、ここで制御とは、運動系列パターン検出器６０８の出力が画像処理ユニット６０４に影響を及ぼすことを意味し、例えば、画像処理ユニット６０４がデインターレースを実行するように構成される場合に、前記出力（モード及び位相）が、対応するビデオフィールドを画像に結合するために使用される画像処理ユニット６０４と、
画像処理ユニット６０４の出力画像を表示する表示デバイス６０６であって、オプションである表示デバイス６０６と、
を有する本発明による画像処理装置６００の実施例を概略的に示す。
【００８６】
画像処理装置６００は、例えばテレビであってもよい。代わりに、画像処理装置６００は、オプションの表示デバイス６０６を有さないが、表示デバイス６０６を有する装置に前記出力画像を供給する。この場合、画像処理装置６０６は、例えばセットトップボックス、衛星チューナ、ＶＣＲプレーヤ、ＤＶＤプレーヤ又はＤＶＤレコーダであってもよい。随意に、画像処理装置６００は、ハードディスクのような記憶手段又は例えば光学ディスクのような取り外し可能媒体に記憶する手段を有する。画像処理装置６００は、フィルムスタジオ又は放送局により使用されるシステムであってもよい。
【００８７】
上述の実施例は、本発明を制限するのではなく説明し、当業者が添付請求項の範囲から外れることなく代替実施例を設計することができることに注意すべきである。請求項において、括弧の間に配置された参照符号は請求項を制限すると解釈されるべきでない。単語‘有する’は、請求項に記載されていない要素又はステップの存在を除外しない。要素に先行する単語“１つの”は、複数のこのような要素の存在を除外しない。本発明は、複数の異なる要素を有するハードウェアによって、及び適切にプログラムされたコンピュータによって実施されることができる。複数の手段を記載するユニット請求項において、これらの手段の幾つかは、ハードウェアの同一アイテムにより実施されることができる。
【図面の簡単な説明】
【００８８】
【図１Ａ】１つのフレームの２つのフィールドを概略的に示す。
【図１Ｂ】２：２プルダウンを概略的に示す。
【図１Ｃ】３：２プルダウンを概略的に示す。
【図２】３つの連続したビデオフィールドを概略的に示す。
【図３Ａ】本発明による運動系列パターン検出器の実施例を概略的に示す。
【図３Ｂ】コントラスト測定ユニットを有する本発明による運動系列パターン検出器の実施例を概略的に示す。
【図４】２次元特徴空間を概略的に示す。
【図５】モードのタイプを指示する２次元マスクを概略的に示す。
【図６】本発明による画像処理装置の実施例を概略的に示す。
2006510267.tif 000020
2006510267.tif 000021
【図２】
2006510267.tif 000022
2006510267.tif 000023
2006510267.tif 000024
【図４】
2006510267.tif 000025
【図５】
2006510267.tif 000026
【図６】
2006510267.tif 000027
【国際調査報告】
2006510267.tif 000028
2006510267.tif 000029